(57)【要約】【課題】雰囲気を十分に和やかにすることができる装飾ろうそく及び装飾ろうそくセットを提供する。【解決手段】装飾ろうそくセット１０は、ろうそく本体１１ａ〜２５ａが所望の文字又は図柄に形成されるとともに所望の色に着色され、ろうそく本体の下端からケーキ４０などに差し込み可能な串１１ｂ〜２５ｂが突出され、ろうそく本体の上端から芯１１ｃ〜２５ｃを突出させた装飾ろうそく１１〜２５を、所定のフレーズを表示可能に複数個有し、装飾ろうそくの、それぞれの串を差し込むことにより装飾ろうそくを立てるための基台３０を有し、この基台に立てた装飾ろうそくを保護するために基台に着脱自在な透明カバー３１を取り付けた。【選択図】　図１
2004035819.tif 000002
【特許請求の範囲】
【請求項１】
ろうそく本体が所望の文字又は図柄に形成されるとともに所望の色に着色され、このろうそく本体の下端からケーキなどに差し込み可能な串が突出され、ろうそく本体の上端から芯を突出させたことを特徴とする装飾ろうそく。
【請求項２】
前記ろうそく本体の文字は、アルファベット文字であることを特徴とする請求項１に記載の装飾ろうそく。
【請求項３】
前記ろうそく本体の図柄は、ハート型や星型の簡易な図柄であることを特徴とする請求項１に記載の装飾ろうそく。
【請求項４】
ろうそく本体が所望の文字又は図柄に形成されるとともに所望の色に着色され、このろうそく本体の下端からケーキなどに差し込み可能な串が突出され、ろうそく本体の上端から芯を突出させた装飾ろうそくを、所定のフレーズを表示可能に複数個有し、
これら複数の装飾ろうそくの、それぞれの串を差し込むことにより複数の装飾ろうそくを立てる基台を有し、
この基台に立てた複数の装飾ろうそくを保護するために基台に着脱自在な透明カバーを有することを特徴とする装飾ろうそくセット。
【請求項５】
前記基台に、前記複数の装飾ろうそくを並べて表示したフレーズと同じフレーズを書込み可能な書込み面を備えたことを特徴とする請求項４記載の装飾ろうそくセット。
【請求項６】
前記基台に、所望のメッセージを書込み可能なメッセージ書込み面を備えたことを特徴とする請求項４又は５記載の装飾ろうそくセット。
【発明の詳細な説明】
【０００１】
【発明の属する技術分野】
本発明は装飾ろうそく及び装飾ろうそくセットに係り、特にケーキなどに立てることにより周囲の環境を良好に保つことができる装飾ろうそく及び装飾ろうそくセットに関する。
【０００２】
【従来の技術】
従来より誕生日などの記念日にケーキを準備し、準備したケーキに装飾ろうそくを立て、これらの装飾ろうそくに火を付けて記念日を祝うという習慣がある。
【０００３】
装飾ろうそくとして、例えば表面がらせん状に形成され、赤色や黄色などの多種の色彩を付して外観性を高めたものが知られている。
このように、装飾ろうそくをケーキに立てて、火を付けることにより、周囲の雰囲気を和やかにすることができる。
【０００４】
【発明が解決しようとする課題】
しかし、従来の装飾ろうそくは、通常のろうそくを僅かに改良したというイメージが強く、周囲の雰囲気を一層和やかにできる装飾ろうそくの実用化が望まれていた。
【０００５】
本発明は、装飾ろうそくを文字や図柄の形態に形成することにより、この装飾ろうそくを使用することで周囲の雰囲気を十分に和やかにすることができる装飾ろうそく及び装飾ろうそくセットを提供して、上述の全ての問題点を解消しようとするものである。
【０００６】
【課題を解決するための手段】
上記目的を達成するために請求項１は、ろうそく本体が所望の文字又は図柄に形成されるとともに所望の色に着色され、このろうそく本体の下端からケーキなどに差し込み可能な串が突出され、ろうそく本体の上端から芯を突出させたことを特徴とする。
【０００７】
上記した本発明に係る装飾ろうそくは、ろうそく本体を所望の文字又は図柄に形成するとともに所望の色に着色した。よって、複数の装飾ろうそくを組み合わせて、「ＨＡＰＰＹ　ＢＩＲＴＨＤＡＹ」のような所望のフレーズを表現することができる。
【０００８】
この際に、例えば装飾ろうそくの文字「Ｈ」を赤色、文字「Ａ」を黄色とするように、それぞれの文字の色を異ならせることができる。
さらに、装飾ろうそくとして図柄を加えることにより、文字と図柄を組み合わせることが可能になる。
【０００９】
請求項２は、前記ろうそく本体の文字は、アルファベット文字であることを特徴とする。
【００１０】
アルファベット文字は、比較的簡易な文字であり、しかもそれらの文字を組み合わせることで、色々な語句の表現が可能である。よって、ろうそく本体の文字をアルファベット文字とすることで、装飾ろうそくを比較的容易に製造することが可能になる。
加えて、文字を組み合わせて色々な語句の表現が可能になる。
【００１１】
請求項３は、前記ろうそく本体の図柄は、ハート型や星型の簡易な図柄であることを特徴とする。
【００１２】
ろうそく本体の図柄を簡易な形態にすることで、装飾ろうそくを比較的容易に製造することができる。
【００１３】
請求項４は、ろうそく本体が所望の文字又は図柄に形成されるとともに所望の色に着色され、このろうそく本体の下端からケーキなどに差し込み可能な串が突出され、ろうそく本体の上端から芯を突出させた装飾ろうそくを、所定のフレーズを表示可能に複数個有し、これら複数の装飾ろうそくの、それぞれの串を差し込むことにより複数の装飾ろうそくを立てる基台を有し、この基台に立てた複数の装飾ろうそくを保護するために基台に着脱自在な透明カバーを有することを特徴とする。
【００１４】
上記した本発明に係る装飾ろうそくセットは、複数の装飾ろうそくを基台に立てることができるので、例えば装飾ろうそくを組み合わせて、「ＨＡＰＰＹ　ＢＩＲＴＨＤＡＹ」のようなフレーズを表現することができる。
【００１５】
加えて、装飾ろうそくの保護カバーを透明カバーとすることで、カバーの外から基台に立てた装飾ろうそくを目視することができる。
したがって、装飾ろうそくを見栄え良く店頭に陳列することができる。
【００１６】
請求項５は、前記基台に、前記複数の装飾ろうそくを並べて表示したフレーズと同じフレーズを書込み可能な書込み面を備えたことを特徴とする。
【００１７】
基台に装飾ろうそくで表示したフレーズと同じフレーズを書込み面に書込むことで、基台に立てた装飾ろうそくの文書を容易に確認することができる。
【００１８】
請求項６は、前記基台に、所望のメッセージを書込み可能なメッセージ書込み面を備えたことを特徴とする。
【００１９】
基台にメッセージ書込み面を備えることで、例えば装飾ろうそくセットをプレゼントする際に、メッセージ書込み面に所望のメッセージを書込むことができる。
【００２０】
【発明の実施の形態】
以下添付図面に基づいて、本発明に係る装飾ろうそく及び装飾ろうそくセットの一実施の形態を詳説する。
図１は本発明に係る装飾ろうそくセットを示す斜視図、図２は同背面図、図３は本発明に係る装飾ろうそくをケーキに立てた状態を示す斜視図、図４及び図５は本発明に係る装飾ろうそくを示す斜視図である。
【００２１】
図１〜図２に示す装飾ろうそくセット１０は、複数の装飾ろうそく１１〜２５と、これらの装飾ろうそく１１〜２５を立てる基台３０と、この基台３０に立てた複数の装飾ろうそく１１〜２５を保護するためのための透明カバー３１とを有する。
なお、装飾ろうそく１９〜２２は図２、図３に示し、装飾ろうそく２４〜２５は図４、図５に示した。
【００２２】
装飾ろうそく１１〜２５は、ろうそく本体１１ａ〜２３ａが所望の文字に形成され、図４、図５に示すように装飾ろうそく２４，２５が、ろうそく本体２４ａ，２５ａが所望の図柄に形成されている。
【００２３】
また、ろうそく本体１１ａ〜２５ａは、所望の色に着色され、このろうそく本体１１ａ〜２５ａの下端からケーキ４０（図３参照）などに差し込み可能な串１１ｂ〜２５ｂが突出され、ろうそく本体１１ａ〜２５ａの上端から芯１１ｃ〜２５ｃを突出させたものである。
【００２４】
ろうそく本体１１ａ〜２３ａの文字は、赤、青、黄、緑、白、オレンジ、ピンク等のろうそく本体１１ａ，２０ａをアルファベット文字「Ｈ」、ろうそく本体１２ａ，２２ａをアルファベット文字「Ａ」、ろうそく本体１３ａ，１４ａをアルファベット文字「Ｐ」とし、またろうそく本体１５ａをアルファベット文字「Ｙ」、ろうそく本体１６ａをアルファベット文字「Ｂ」、ろうそく本体１７ａをアルファベット文字「Ｉ」とし、さらにろうそく本体１８ａをアルファベット文字「Ｒ」、ろうそく本体１９ａをアルファベット文字「Ｔ」とし、加えて、ろうそく本体２１ａをアルファベット文字「Ｄ」、ろうそく本体２３ａをアルファベット文字「Ｙ」とした。
【００２５】
よって、装飾ろうそく１１〜２３を組み合わせることにより、フレーズ「ＨＡＰＰＹ　ＢＩＲＴＨＤＡＹ」を表示することができる。
なお、ろうそく本体１７ａのアルファベット文字「Ｉ」に代えて図４、図５に示すハート型や星型の装飾ろうそく２４，２５を使用することも可能である。
【００２６】
ろうそく本体１１ａ〜２３ａの文字を、一例としてアルファベット文字とし、またろうそく本体２４ａ，２５ａの図柄を、一例としてハート型や、星型の簡易な図柄としたが、ろうそく本体１１ａ〜２３ａの文字や図柄はこれに限るものではない。
【００２７】
アルファベット文字は、比較的簡易な文字であり、しかもそれらの文字を組み合わせることで、色々な語句の表現が可能である。よって、ろうそく本体１１ａ〜２３ａの文字をアルファベット文字とすることで、装飾ろうそく１１〜２３を比較的容易に製造することが可能になる。
【００２８】
このように、文字を組み合わせて色々な語句の表現が可能になるので、用途の拡大を図ることができる。
また、ろうそく本体２４ａ〜２５ａの図柄を簡易な形状にすることで、装飾ろうそく２４〜２５を比較的容易に製造することが可能になる。
【００２９】
基台３０は、矩形状の発泡スチロールの上面が装飾用薄紙３２で覆われるとともに、その周囲は装飾用厚紙３３で覆われている。この基台３０の上面に、装飾用薄紙３２を通して装飾ろうそく１１〜２３の串１１ｂ〜２３ｂを差し込むことにより、装飾ろうそく１１〜２３を立てることができる。
【００３０】
基台３０は、側面周囲及び底面が装飾用厚紙３３で覆われている。装飾用厚紙３３のうち、基台３０の前面を覆う表面３４には書込み面３４ａが備えられている。
この書込み面３４ａには、基台３０に立て並べた複数の装飾ろうそく１１〜２３で表示したフレーズ「ｈａｐｐｙ　ｂｉｒｔｈｄａｙ」を書込みむことができる。
【００３１】
装飾ろうそく１１〜２３で表示したフレーズを、基台３０の書込み面３４ａに書込むことで、基台３０に立てた装飾ろうそく１１〜２３のフレーズを、書込み面３４ａを見て容易に確認することができる。
【００３２】
また、装飾用厚紙３３のうち基台３０の後面を覆う表面３５には、図２に示すようにメッセージ書込み面３５ａが備えられている。このメッセージ書込み面３５ａには、所望のメッセージを書込むことができる。
【００３３】
基台３０にメッセージ書込み面３５ａを備えることで、例えば装飾ろうそくセット１０をプレゼントする際に、メッセージ書込み面３５に所望のメッセージを書込むことができるので、送り主の気持ちを相手により的確に伝えることができる。
【００３４】
この基台３０には、透明カバー３１が着脱自在に備えられており、透明カバー３１は、複数の装飾ろうそく１１〜２３を保護するためのように、透明の樹脂薄板で下端部３１ａが開口された状態に形成されている。
この開口部３１ａを基台３０に差しこむことにより、透明カバー３１を基台に取付けることができる。
【００３５】
装飾ろうそく１１〜２３を保護するための保護カバー３１を透明カバーとしたので、保護カバー３１の外から基台３０に立てた装飾ろうそく１１〜２３を目視することができる。
したがって、装飾ろうそく１１〜２３を見栄え良く店頭に陳列することが可能となる。
【００３６】
つぎに、この装飾ろうそくをケーキに立てる使用例を、図１〜図３に基づいて説明する。
まず、図２に示す状態から透明カバー３１を上方に持ち上げることにより、図１に示すように基台３０から透明カバー３１を外すことができる。
【００３７】
つぎに、基台３０から装飾ろうそく１１〜２３を引き抜き、引き抜いた装飾ろうそく１１〜２３の串１１ａ〜２３ａを、図３に示すようにケーキ４０の表面４１に差しこむことにより、ケーキ４０の表面４１に装飾ろうそく１１〜２３を立てることができる。
【００３８】
以上説明したように、ろうそく本体１１ａ〜２３ａを所望の文字に形成するとともに、ろうそく本体２４ａ〜２５ａを所望の図柄に形成し、これらのろうそく本体１１ａ〜２５ａを所望の色に着色したので、図３に示すように複数の装飾ろうそく１１〜２３を組み合わせて、「ＨＡＰＰＹ　ＢＩＲＴＨＤＡＹ」のような所望のフレーズを表現することができる。
【００３９】
この際に、例えば装飾ろうそく１１の文字「Ｈ」を赤色、装飾ろうそく１２の文字「Ａ」を黄色とするように、それぞれの文字の色を異ならせることができる。
さらに、装飾ろうそくとして図柄を加えることにより、文字と図柄を組み合わせることが可能になる。
したがって、装飾ろうそく１１〜２３や、装飾ろうそく２４〜２５を使用することで、周囲の雰囲気を十分に和やかにすることができる。
【００４０】
つぎに、第２〜第１２実施の形態を図６〜図１６に基づいて説明する。なお、第２〜第１２実施の形態において、第１実施の形態と同一部材については同一符号を付して説明を省略する。
前記第１実施の形態では、「ＨＡＰＰＹ　ＢＩＲＴＨＤＡＹ」のフレーズを表示することが可能な装飾ろうそく１１〜２３を基台３０にセットし、この基台３０の書込み面３４ａに「ｈａｐｐｙ　ｂｉｒｔｈｄａｙ」のフレーズを書込んだ例を説明したが、図６に示す第２実施の形態の装飾ろうそくセット５０のように、基台３０の書込み面３４ａに「ｈａｐｐｙ　ｎｅｗ　ｙｅａｒ」のフレーズを書込んで、このフレーズに合わせたアルファベットや図柄の装飾ろうそくを基台３０に備えることも可能である。
【００４１】
また、図７に示す第３実施の形態の装飾ろうそくセット５１のように、基台３０の書込み面３４ａに「ｂｅ　ｍｙ　ｖａｌｅｎｔｉｎｅ」のフレーズを書込んで、このフレーズに合わせたアルファベットや図柄の装飾ろうそくを基台３０に備えることも可能である。
【００４２】
また、図８に示す第４実施の形態の装飾ろうそくセット５２のように、基台３０の書込み面３４ａに「ｍｅｒｒｙ　ｃｈｒｉｓｔｍａｓ」のフレーズを書込んで、このフレーズに合わせたアルファベットや図柄の装飾ろうそくを基台３０に備えることも可能である。
【００４３】
また、図９に示す第５実施の形態の装飾ろうそくセット５３のように、基台３０の書込み面３４ａに「ｍｅｒｒｙ　ｘｍａｓ」のフレーズを書込んで、このフレーズに合わせたアルファベットや図柄の装飾ろうそくを基台３０に備えることも可能である。
【００４４】
また、図１０に示す第６実施の形態の装飾ろうそくセット５４のように、基台３０の書込み面３４ａに「Ｉ　ｌｏｖｅ　ｙｏｕ」のフレーズを書込んで、このフレーズに合わせたアルファベットや図柄の装飾ろうそくを基台３０に備えることも可能である。
【００４５】
また、図１１に示す第７実施の形態の装飾ろうそくセット５５のように、基台３０の書込み面３４ａに「ｋｉｓｓｅｓ」のフレーズを書込んで、このフレーズに合わせたアルファベットや図柄の装飾ろうそくを基台３０に備えることも可能である。
【００４６】
また、図１２に示す第８実施の形態の装飾ろうそくセット５６のように、基台３０の書込み面３４ａに「ｉｔ‘ｓ　ａ　ｂｏｙ」のフレーズを書込んで、このフレーズに合わせたアルファベットや図柄の装飾ろうそくを基台３０に備えることも可能である。
【００４７】
また、図１３に示す第９実施の形態の装飾ろうそくセット５７のように、基台３０の書込み面３４ａに「ｉｔ‘ｓ　ａ　ｇｉｒｌ」のフレーズを書込んで、このフレーズに合わせたアルファベットや図柄の装飾ろうそくを基台３０に備えることも可能である。
【００４８】
さらに、前記第１実施の形態では、基台３０に所望のメッセージを書込む欄としてメッセージ書込み面３５ａを備えた例を説明したが、このメッセージ書込み面３５ａの表示例は、図１４〜図１６に示す第１０〜第１２実施の形態の装飾ろうそくセット５８〜６０のようなメッセージ書込み面３５ａとすることも可能である。
【００４９】
【発明の効果】
以上述べたように、請求項１による装飾ろうそくによれば、ろうそく本体を所望の文字又は図柄に形成するとともに所望の色に着色した。よって、複数の装飾ろうそくを組み合わせて、「ＨＡＰＰＹ　ＢＩＲＴＨＤＡＹ」のような所望のフレーズを表現することができる。
この際に、例えば装飾ろうそくの文字「Ｈ」を赤色、文字「Ａ」を黄色とするように、それぞれの文字の色を異ならせることができる。
【００５０】
さらに、装飾ろうそくとして図柄を加えることにより、文字と図柄を組み合わせることが可能になる。
したがって、本発明の装飾ろうそくを使用することで周囲の雰囲気を十分に和やかにすることができる。
【００５１】
請求項２は、アルファベット文字は、比較的簡易な文字であり、しかもそれらの文字を組み合わせることで、色々な語句の表現が可能となり、ろうそく本体の文字をアルファベット文字とすることで、装飾ろうそくを比較的容易に製造することが可能になる。
さらに、文字を組み合わせて色々な語句の表現が可能になるので、用途の拡大を図ることができる。
【００５２】
請求項３は、ろうそく本体の図柄を簡易な形態にすることで、装飾ろうそくを比較的容易に製造することが可能になる。
【００５３】
請求項４による装飾ろうそくセットによれば、複数の装飾ろうそくを基台に立てることができるので、例えば装飾ろうそくを組み合わせて、「ＨＡＰＰＹ　ＢＩＲＴＨＤＡＹ」のようなフレーズを表現することができる。
【００５４】
さらに、装飾ろうそくの保護カバーを透明カバーとすることで、カバーの外から基台に立てた装飾ろうそくを目視することができ、装飾ろうそくを見栄え良く店頭に陳列することができるので、購買力を高めることができる。
【００５５】
請求項５は、基台に装飾ろうそくで表示したフレーズと同じフレーズを書込み面に書込むことで、基台に立てた装飾ろうそくの文書を、書込み面を見て容易に確認することができる。
【００５６】
請求項６は、基台にメッセージ書込み面を備えることで、例えば装飾ろうそくセットをプレゼントする際に、メッセージ書込み面に所望のメッセージを書込むことができるので、送り主の気持ちを相手により的確に伝えることができる。
【図面の簡単な説明】
【図１】本発明に係る装飾ろうそくセットを示す斜視図である。
【図２】同背面図である。
【図３】本発明に係る装飾ろうそくをケーキに立てた状態を示す斜視図である。
【図４】本発明に係る装飾ろうそく示す斜視図である。
【図５】同他の形態の斜視図である。
【図６】本発明に係る装飾ろうそくセットの第２実施の形態を示す正面図である。
【図７】本発明に係る装飾ろうそくセットの第３実施の形態を示す正面図である。
【図８】本発明に係る装飾ろうそくセットの第４実施の形態を示す正面図である。
【図９】本発明に係る装飾ろうそくセットの第５実施の形態を示す正面図である。
【図１０】本発明に係る装飾ろうそくセットの第６実施の形態を示す正面図である。
【図１１】本発明に係る装飾ろうそくセットの第７実施の形態を示す正面図である。
【図１２】本発明に係る装飾ろうそくセットの第８実施の形態を示す正面図である。
【図１３】本発明に係る装飾ろうそくセットの第９実施の形態を示す正面図である。
【図１４】本発明に係る装飾ろうそくセットの第１０実施の形態を示す背面図である。
【図１５】本発明に係る装飾ろうそくセットの第１１実施の形態を示す背面図である。
【図１６】本発明に係る装飾ろうそくセットの第１２実施の形態を示す背面図である。
【符号の説明】
１０，５０〜６０…装飾ろうそくセット
１１〜２５…装飾ろうそく
１１ａ〜２５ａ…ろうそく本体
１１ｂ〜２５ｂ…串
１１ｃ〜２５ｃ…芯
３０…基台
３１…透明カバー
３２…装飾用薄紙
３３…装飾用厚紙
３４…基台の前面を覆う表面
３４ａ…書込み面
３５…基台の後面を覆う表面
３５ａ…メッセージ書込み面
４０…ケーキ
【図１】
2004035819.tif 000003
【図２】
2004035819.tif 000004
【図３】
2004035819.tif 000005
【図４】
2004035819.tif 000006
【図５】
2004035819.tif 000007
【図６】
2004035819.tif 000008
【図７】
2004035819.tif 000009
【図８】
2004035819.tif 000010
【図９】
2004035819.tif 000011
【図１０】
2004035819.tif 000012
【図１１】
2004035819.tif 000013
【図１２】
2004035819.tif 000014
【図１３】
2004035819.tif 000015
【図１４】
2004035819.tif 000016
【図１５】
2004035819.tif 000017
【図１６】
2004035819.tif 000018